(57)【要約】【課題】収納、携帯に容易な工具収納具を提供する。【解決手段】第１，第２工具収納具１，２からなり、工具収納具はそれぞれ第１，第２収納体１０，２０を有する。第１，第２収納体１０，２０間には工具枢支棒１１と工具保持部４を有し、工具枢支棒１１は複数の工具３を枢設する。第１，第２収納体１０，２０には複数の貫通孔を設けると共に、第１工具収納具１の前縁面にはあり溝結合用のあり溝１４とあり溝１４のほぼ中間部に設けた凹部１５を有し、第２工具収納具２の前縁面には前記あり溝と対応するあり２４を有する。工具保持部４はノッチ４２を有し、ノッチ４２前面は傾斜面４３が設けられると共に、ノッチ４２一側には嵌槽４４が凹設されている。前記工具保持部４一端の凸棒４１には弾性部材４５、環状のパッド４６を配設してある。使用時、工具３は工具保持部４に嵌入されて安定固定し、使用者が安全に操作でき、収容時には、第１，第２工具収納具１，２は互いに蟻溝結合による連結が可能であるため組み立てが迅速、且つ、便利で、携帯にも便利である。【選択図】図１
0003131475.tif 000002
【実用新案登録請求の範囲】
【請求項１】
第１，第２工具収納具からなる工具収納具であって、
前記第１，第２工具収納具はそれぞれ一対の板材により形成された第１，第２収納体を有し、前記第１，第２収納体はそれぞれ工具枢支棒と連接棒が配設されており、前記工具枢支棒は複数の工具を枢設可能とすると共に、前記第１，第２工具収納具の前記第１，第２収納体の前面縁には蟻溝結合用のあり溝とありが形成されると共に、前記あり溝とありの各対応する長手方向所定位置には着脱自在に嵌合する凹部と凸部が設けられ、且つ、前記第１，第２工具収納具は前記各前面縁より分離可能となっていることを特徴とする工具収納具。
【請求項２】
工具収納具であって、
前記工具収納具は一対の板材により形成された収納体からなり、前記一対の板材間には工具枢支棒と連接棒が固定されると共に、前記工具枢支棒に近接して軸方向の移動を可能に前記一対の板材に設けた貫通孔を介して枢設した工具保持部を有してなり、前記工具枢支棒は、複数の工具の下端部を旋回可能に枢支し、前記工具保持部は、両端に凸棒を有しかつ中央部分にはノッチを設けた太径部を有し、該ノッチは前面に傾斜面を有すると共に、一側に嵌槽を形成してなり、前記凸棒の一端には弾性部材及び環状のパッドを設置し、前記工具保持部が前記貫通孔を介して軸方向の移動が可能となっていることを特徴とする工具収納具。
【考案の詳細な説明】
【技術分野】
【０００１】
本考案は工具収納具に関し、特に、工具が旋転偏移しないように安定的に固定させ、使用者が安全に使用操作でき、使用後は迅速に収納でき、且つ、携帯に便利な工具収納具に関する。
【背景技術】
【０００２】
一般の工具収納具は、パーツ、ナット、或いは、ねじ等に適合するように使用される複数の異なる規格になる工具が収容されている。使用操作時にあっては、これら種々に異なる規格の工具の中から、各種パーツ、ナット、或いは、ねじ等に適合する工具を選択して、工具を持ち手に把持し、ナットやねじにあわせて持ち手を回転させ、取り外しや組み立て操作を実行する。しかし、工具の使用にあたっては、使用者は工具が全部収納された工具収納具の中から各種の異なる工具を選択して使用しなければならず、これが非常に面倒な上、携帯性も悪く、また、取り出された工具があちこちに分散して放置され、それがために遺失され易く、使用上不便である。
【考案の開示】
【考案が解決しようとする課題】
【０００３】
本考案は、迅速な組合せと携帯に便利な工具収納具を提供することを目的とする。
【０００４】
本考案は、工具が安定固定され、旋転偏移せず、使用者の安全操作を確保する工具収納具を提供することをもう一つの目的とする。
【課題を解決するための手段】
【０００５】
上述の目的を達成するため、本考案は第１，第２工具収納具からなる工具収納具であって、前記第１，第２工具収納具はそれぞれ一対の板材により形成された第１，第２収納体を有し、前記第１，第２収納体はそれぞれ工具枢支棒と連接棒が配設されており、前記工具枢支棒は複数の工具を枢設可能とすると共に、前記第１，第２工具収納具の前記第１，第２収納体の前面縁には蟻溝結合用のあり溝とありが形成されると共に、前記あり溝とありの各対応する長手方向所定位置には着脱自在に嵌合する凹部と凸部が設けられ、且つ、前記第１，第２工具収納具は前記各前面縁より分離可能となっていることを特徴とする。
【０００６】
請求項２の考案は、工具収納具であって、前記工具収納具は一対の板材により形成された収納体からなり、前記一対の板材間には工具枢支棒と連接棒が固定されると共に、前記工具枢支棒に近接して軸方向の移動を可能に前記一対の板材に設けた貫通孔を介して枢設した工具保持部を有してなり、前記工具枢支棒は、複数の工具の下端部を旋回可能に枢支し、前記工具保持部は、両端に凸棒を有しかつ中央部分にはノッチを設けた太径部を有し、該ノッチは前面に傾斜面を有すると共に、一側に嵌槽を形成してなり、前記凸棒の一端には弾性部材及び環状のパッドを設置し、前記工具保持部が前記貫通孔を介して軸方向の移動が可能となっていることを特徴とする。
【考案の効果】
【０００７】
本考案により、迅速な組合せと携帯に便利な工具収納具が提供され、工具が安定固定され、旋転偏移せず、使用者の安全操作を確保する。
【０００８】
本考案は、一対の収納体を工具収納体として利用できると共に、一対の収納体を分割して一方のみを単独で使用することもできる。
【考案を実施するための最良の形態】
【０００９】
以下本考案の工具収納具の実施例について図面を参考に説明する。
【実施例】
【００１０】
図１は、本考案の工具収納具の一実施例を示すもので、第１，第２工具収納部材１，２からなる工具収納具について説明する。
【００１１】
各工具収納部材１，２は、それぞれ２枚の板材を組み合わせて形成したほぼ対称形状の収納体からなるもので、この実施例ではほぼ対称形状の一対の収納体である第１、第２収納体１０，２０からなり、前記第１、第２収納体１０，２０の内方間には、工具の後端部を回動可能に枢支する工具枢支棒１１，２１及び連接棒１２，２２が配設されて互いに連結されている。前記工具枢支棒１１，１２及び連接棒１２，２２は先端に螺子部を有して構成され、工具枢支棒１１，２１及び連接棒１２，２２は、前記第１、第２収納体１０，２０の板材に形成した貫通孔を貫通した先端部をナットＮにより固定される。  
【００１２】
前記工具枢支棒１１，１２には、複数の工具３の各後端部に形成した枢設部３０が旋回可能に枢設されるようになっている。
また、前記工具枢支棒１１，１２に枢支される複数の工具３間及び工具３と前記第１、第２収納体１０，２０の板材内面間には環状のパッド１１０，２１０が配置されている。
また、前記第１、第２収納体１０，２０の上下端部にはそれぞれ後述の工具保持部４の両端凸棒４１が摺動可能に貫通する貫通孔１３，２３が設けられている。
【００１３】
前記第１工具収納具１の前縁端面には蟻溝結合用のあり溝１４を有し、あり溝１４の上下方向のほぼ中央部である所望位置には、凹部１５が形成されている。また、第２工具収納具２の前縁端面には、前記あり溝１４に対応する凸状のあり２４が形成されており、前記あり２４の前記凹部１５と対応する所定位置には凸部２５が形成されている。
【００１４】
従って、前記第１工具収納具１のあり溝１４と第２工具収納具２のあり２４とをあり溝結合し、かつ前記凹部１５と対応する凸部２５とを嵌合連結させることで、両者を逸脱しないように確実に結合できるようになっている。
【００１５】
４，４は工具の先端部を支持する工具保持部で、第１，第２工具収納具１，２の前記第１、第２収納体１０，２０の板材内面間に設置されるものである。
前記工具保持部４の両端は凸棒４１を有し、前記第１、第２収納体１０，２０の板材に穿孔した貫通孔１３，２３に摺動可能に挿入される。また、前記工具保持部４の大径部外周面上にはノッチ４２を有し、ノッチ４２前面は斜面面４３が形成されると共に、ノッチ４２の右側には嵌槽４４が凹設されている。  
工具保持部４の一方の細径端部となる凸棒４１の外周面にはコイルスプリング等の弾性部材４５が配設され、更に凸棒４１の両端にはパッド環４６が配設される。
【００１６】
以上の構成による本考案の工具収納具の組立時においては、図１〜図３に示されるように、工具枢支棒１１に環状のパッド１１０，１１０を介して工具３の後端部に形成した枢設部３０を回動可能に枢設した後、前記工具枢支棒１１，１２及びパッド４６、弾性部材４５を装着した前記工具保持部４の凸棒４１を配設して、第１収納体１０の板材をナットＮ等で互いに連結する。
【００１７】
次に、前記第１収納体１０とは逆向き位置に配設された第２収納体２０の工具枢支棒２１に環状のパッド２１０，２１０を介して工具３の後端部に形成した枢設部３０を回動可能に枢設した後、前記工具枢支棒４１，２２及びパッド４６、弾性部材４５を装着した前記工具保持部４の凸棒４１を配設して、第２収納体２０の板材をナットＮ等で互いに連結する。
【００１８】
なお、前記工具３の取り付けにあっては、工具３の先端部が常に連接棒１２、２２の内方側に位置するように傾斜して取りつけるようにする。
更に、工具３の把持部は工具の旋回時に前記工具保持部４のノッチ４２の嵌槽４４に支持され、旋回等の移動が規制される。
【００１９】
前記第１，第２収納体１０，２０への工具取り付けが完了した後には、図２，図３で示されるように、第１，第２工具収納具１，２を各前縁端面に形成したあり溝１４とあり２４とをあり溝結合することで、前記第１，第２収納体１０，２０の各前縁面に形成した凸部２５と凹部１５の嵌合により第１，第２工具収納具１，２が確実に固定されて逸脱することなく、携帯と使用に便利な工具収納具が完成する。
【００２０】
本考案の使用時においては、図２、図４〜図６で示されるように、まず、第１，第２工具収納具１，２を分離させ、使用したい工具３を選択し、工具３を上に旋出させて前記工具保持部４の斜面４３を案内面とし、工具３を斜面４３に沿って弾性部材４５に抗してノッチ４２内に滑入させ、弾性部材４５の弾力回復により工具保持部４を推移復位させ、工具３を工具保持部４の嵌槽４４内に位置決めすることで、工具３がしっかりと固定され、安全操作使用が可能である。
【００２１】
収容操作時にあっては、図４，図６で示されるように、使用者は、工具保持部４の凸棒４１の一端を押圧して、工具保持部４の太径部の段差により弾性部材４５を圧縮してシフトさせ、工具３を工具保持部４のノッチ４２にあわせて、工具３を前記第１，第２収納体１０，２０内に旋回させれば、迅速に収容できる（図４参照）。
【００２２】
第１，第２工具収納具１，２は図３で示されるように結合でき、組み立てが非常に迅速で、収納、携帯に便利、また、空間も節約される。
【００２３】
前述の実施例では一対の収納体を組み合わせて工具収納具とした構成について説明したが、片方の収納体１０のみであっても、工具収納具とすることは充分可能である。
【００２４】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００２５】
【図１】本考案の工具収納具の一実施例を示す分解斜視図である。
【図２】本考案の工具収納具の立体組立状態を示す全体斜視図である。
【図３】本考案の工具収納具を組立た状態の全体斜視図である。
【図４】本考案の工具収納具の第１分解収納体に工具を装着した状態の斜視図である。
【図５】本考案の工具収納具の第１分解収納体に装着した工具の使用状態を示す斜視図である。
【図６】本考案の工具収納具の第１分解収納体に装着した工具を収容する状態を示す斜視図である。
【符号の説明】
【００２６】
１    第１工具収納具
１０  第１収納体
１１  工具枢支棒
１２  連接棒
１３  貫通孔
１４  あり溝
１５  凹部
２    第２工具収納具
２０  第２収納体
２１  工具枢支棒
２２  連接棒
２３  貫通孔
２４  あり
２５  凸部    
３    工具
３０  枢接部
４    工具保持部
４１  凸棒
４２  ノッチ
４３  傾斜面
４４  嵌槽
４５  弾性部材
４６  環状パッド
Ｎ    ナット
１１０，２１０  環状のパッド
【図１】
0003131475.tif 000003
【図２】
0003131475.tif 000004
【図３】
0003131475.tif 000005
【図４】
0003131475.tif 000006
【図５】
0003131475.tif 000007
【図６】
0003131475.tif 000008